【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
第１のエッジに対して接触するように構成されたエッジ係合部材を有する基板係合プラットホームと、
前記係合プラットホームから第１の距離を隔てられた基板保持要素であって、前記基板保持要素が、第２のエッジに対して接触するように構成されたエッジ保持部材を有し、前記エッジ保持部材が、前記基板保持要素から第２の距離を隔てられ、前記エッジ係合部材と位置合わせされている、基板保持要素と、
前記基板係合プラットホームおよび前記基板保持要素に対して相互接続された、前記第１の距離の調整を可能ならしめる第１の調整機構と、
前記基板保持要素および前記エッジ保持部材に対して接続された、前記第２の距離の調整を可能ならしめ、調整後前記第２の距離を維持する第２の調整機構とを備える、第１および第２の対向するエッジを有する回路基板を支持するための支持ラックであって、
前記第１および第２の調整機構が、前記エッジ係合部材および前記エッジ保持部材が、前記回路基板が前記支持ラックによって支持されたとき、それぞれ前記第１および第２のエッジと接触することによって回路基板を圧縮するように、前記エッジ係合部材から所望の距離での前記エッジ保持部材の位置調整を可能ならしめるために独立して調整可能である支持ラック。
【請求項２】
前記第１の調整機構は互いに離間された開孔を備え、前記第１の調整機構は、前記基板保持要素を少なくとも１つの開孔に固定することによって前記基板係合プラットホームおよび前記基板保持要素を相互接続し、前記開孔は、前記第１の距離が予め定められた増分で調整されることを可能ならしめる、請求項１に記載のラック。
【請求項３】
前記第１の距離は第１の軸に沿って測定され、
前記開孔は前記第１の軸と実質的に平行な第２の軸に沿って離間されている、請求項２に記載のラック。
【請求項４】
前記エッジ係合部材は第３の軸に沿って延在する直線状の係合溝であり、
前記第３の軸は前記第１の軸と実質的に垂直である、請求項３に記載のラック。
【請求項５】
回路基板の長さを隔てられた第１および第２の対向するエッジを有する回路基板および前記基板を支持するラックの組合せ構造において、
前記ラックは、
フレームと、
前記フレームに対して装着され、前記第１のエッジと係合する基板係合プラットホームと、
前記基板係合プラットホームから第１の距離を隔てられた基板保持要素と、
前記第１の距離の調整を提供するため、および前記第１の距離を維持するために前記フレームおよび前記基板保持要素と協働する第１の調整機構と、
前記基板保持要素に対して接続され、前記第２のエッジと係合するためのエッジ保持部材を備える第２の調整機構とを備え、
かつ、
前記基板係合プラットホームおよび前記エッジ保持部材は、前記プラットホームおよび前記エッジ保持部材がそれぞれ前記第１および第２の対向するエッジと接触することによって前記基板に圧縮力を印加するように、前記回路基板長さと等しい有効距離を隔てられている、組合せ構造。
【請求項６】
前記第２の調整機構が、
前記基板保持要素にネジ付けされたクランプネジと、
前記ネジに対する相対的運動のために前記クランプネジに装着された位置決めピンであって、前記回路基板の第２のエッジと係合するエッジ保持部材として作用する切欠きを備える位置決めピンとを備える、請求項５に記載の組合せ構造。
【請求項７】
前記基板保持要素は複数の第２の調整機構を備え、
各々の第２の調整機構はそれぞれのクランプネジを有し、
各々のクランプネジは前記基板保持要素にネジ付けされ、
各々のクランプネジはそれに装着されたそれぞれの位置決めピンを有する、請求項５に記載の組合せ構造。
【請求項８】
各々の第２の調整機構は第１、第２および第３のクランプネジを有し、
第１、第２および第３の位置決めピンはそれぞれ前記第１、第２および第３のクランプネジ上に装着され、かつ
各々の位置決めピンは前記それぞれのクランプネジに対して回転自在に運動可能である、請求項７に記載の組合せ構造。
【請求項９】
前記基板は実質的に平坦な表面を有し、
前記圧縮力は前記平坦な表面に対して実質的に平行に印加されている請求項５に記載の組合せ構造。
【請求項１０】
前記基板は前記実質的に平坦な表面を有し、
前記圧縮力は、前記平坦な表面に対して実質的に一致して印加されている請求項５に記載の組合せ構造。
【請求項１１】
前記基板保持要素はそれにネジ付けされた第１および第２のクランプネジを有し、
前記第１のクランプネジはそれに結合された相対的に運動可能な位置決めピンを有する請求項１に記載の支持ラック。
【請求項１２】
各々の回路基板が長さを画定する第１および第２の対向するエッジを有する、回路基板を支持するための支持ラックであって、
各々のエッジ係合部材がそれぞれの回路基板の第１のエッジに対して接触するように構成されたエッジ係合部材を有する基板係合プラットホームと、
前記係合プラットホームに対して接続され、前記係合プラットホームから第１の距離を隔てられた基板保持要素であって、前記基板保持要素が、エッジ保持部材を有し、各々のエッジ保持部材が、前記それぞれの回路基板の前記第２のエッジに対して接触するよう構成され、各々のエッジ保持部材が、前記基板保持要素から第２の距離を隔てられ、それぞれのエッジ係合部材と位置合わせされている、基板保持要素と、
前記基板係合プラットホームおよび前記基板保持要素に対して相互接続された、前記第１の距離の調整を可能ならしめる第１の調整機構と、
各々の第２の調節機構が、前記基板保持要素および前記それぞれのエッジ保持部材に対して接続され、それぞれの第２の距離の調整を可能ならしめる、複数の第２の調整機構とを備える、支持ラックであって、
前記第１の調整機構および各々の第２の調整機構が、各々のエッジ係合部材およびそれぞれのエッジ保持部材が、前記回路基板が前記支持ラックによって支持されたときそれぞれの回路基板の前記第１および第２のエッジと接触することによってそれぞれの回路基板を圧縮するように、それぞれのエッジ係合部材からそれぞれ所望の距離での各々のエッジ保持部材の位置調整を可能ならしめるために独立して調整可能である支持ラック。
【請求項１３】
前記基板保持要素はそれにネジ付けされた第１および第２の複数のクランプネジを有し、
前記第１および第２の複数の各々のクランプネジは、それと結合された位置決めピンを有し、
前記回路基板は第１および第２の回路基板を備え、
前記第１の回路基板は、前記支持ラックによって支持されたとき、前記プラットホームと前記第１の複数のクランプネジの間に締結され、
前記第２の回路基板は、前記支持ラックによって支持されたとき、前記プラットホームと前記第２の複数のクランプネジの間に締結される、請求項１２に記載の支持ラック。
【請求項１４】
前記第１および第２の開孔の列および前記第１および第２のネジは、それによって前記第１の距離が予め定められた増分で選択されることができる前記第１の調整機構を備え、
前記第１の複数のクランプネジは、それによって前記第２の距離が連続して選択されることができる前記第２の調整機構を備える、請求項１３に記載の支持ラック。
【請求項１５】
それらの間で前記基板係合プラットホームおよび前記基板保持要素が互いに離間された関係で支持されている、一対の鉛直方向、長手方向に離間された端部パネルを備えるフレームをさらに備え、前記回路基板は、前記回路基板が前記支持ラックによって支持されるとき、それらの間に締結される、請求項１に記載の支持ラック。
【請求項１６】
前記端部パネルは、鉛直方向に離間された開孔の第１および第２の列をそれぞれ有する第１および第２の端部パネルであり、
第１および第２のネジが、前記第１および第２の列の開孔を通ってそれぞれ延在し、前記基板保持要素と係合している、請求項１５に記載の支持ラック。
【請求項１７】
テーブルが、その中に形成された複数の孔を有する装着表面を備え、
前記ラックは、その中に形成された複数の開孔を有するフレームを備え、
ファスナが、前記開孔を通って前記孔内へ延び、それによって前記ラックおよび前記基板を前記テーブルに固定する、前記ラックおよび前記基板を支持する振動テーブルをさらに備える、請求項５に記載の組合せ構造。
【請求項１８】
各々の係合部材が、直線状の係合溝である、請求項１２に記載の支持ラック。
【請求項１９】
各々の第２の調整機構は、クランプネジおよび位置決めピンを備え、前記クランプネジは、前記基板保持要素にねじ付けされ、前記位置決めピンは、前記ネジに対する相対的な運動のために前記クランプネジに装着され、前記ピンは、それぞれの回路基板の第２のエッジと係合するためのエッジ係合部材として作用する切欠きを備える、請求項１８に記載の支持ラック。
【請求項２０】
各々の第２の調整機構は、調整後それぞれの第２の距離を維持する、請求項１２に記載の支持ラック。
【請求項２１】
第１および第２の対向するエッジを有する回路基板および前記基板を支持するラックの組合せ構造において、
前記ラックは、
フレームと、
前記フレームに対して装着され、前記第１のエッジと係合する基板係合プラットホームと、
前記基板係合プラットホームから第１の距離を隔てられた基板保持要素と、
前記第１の距離を調整および維持するために前記フレームおよび前記基板保持要素と協働する第１の調整機構と、
前記基板保持要素に対して接続され、前記第２のエッジと係合する第２の調整機構であって、前記第２の調整機構が、クランプネジおよび位置決めピンを備え、前記クランプネジは前記基板保持要素にネジ付けされ、前記位置決めピンは前記ネジに対する相対的運動のために前記クランプネジに装着され、前記ピンは前記回路基板の第２のエッジと係合する切欠きを備え、
前記プラットホームおよび前記第２の調節機構は、それぞれ前記第１および第２の対向するエッジと接触することによって前記基板に圧縮力を印加する、組合せ構造。